(57)【要約】【課題】ハウジングに接続端子が挿入されると共にリテーナが装着された状態で、接続端子をハウジング内から強引に引き抜こうとしても、該ハウジング内から接続端子が引き抜かれることを好適に規制できるコネクタを提供する。【解決手段】コネクタ１０は、接続端子１１と、ハウジング１２と、リテーナ１３とを備えている。ハウジング１２の挿入部１４内に接続端子１１が挿入された場合、その接続端子１１の切欠き部２５に対しては、ハウジングランス２７の先端面２７ｃ及びリテーナ１３におけるリテーナ脚部２９の前面２９ｃが各々係止箇所を違えるようにして係止し、挿入部１４内から接続端子１１が引き抜かれることを規制する。また、リテーナ１３におけるリテーナ本体２８の下面はハウジングランス２７の上面２７ｄに上方から当接して、ハウジングランス２７の撓み変形を規制する。【選択図】      図２
2006339021.tif 000002
【特許請求の範囲】
【請求項１】
係止部を有する接続端子と、該接続端子が挿入される挿入部を有するハウジングと、該ハウジングに装着されるリテーナとを備え、
前記ハウジングには、前記リテーナを装着するための装着孔を前記接続端子の挿入方向と交差する方向において前記挿入部の内外間を連通するように形成すると共に、前記接続端子の係止部に対して係止可能なランス側係止部を有する片持ち梁状のハウジングランスを、前記挿入部内に前記接続端子が挿入される際には該接続端子に押動されて撓み変形する一方、前記接続端子の挿入方向において該接続端子の係止部が前記ランス側係止部の位置に至った際には弾性復帰して該ランス側係止部が前記接続端子の係止部に係止するように設け、
前記リテーナには、該リテーナが前記ハウジングの装着孔に装着された際に、前記ハウジングランスに対して該ハウジングランスの前記撓み変形を規制する方向から当接するリテーナ当接部と、前記挿入部内に挿入されて前記ハウジングランスのランス側係止部が係止した状態にある前記接続端子の係止部に対して前記ランス側係止部とは別箇所で係止するリテーナ側係止部とを設けたコネクタ。
【請求項２】
前記ハウジングには、前記挿入部内における前記接続端子の挿入方向と交差する方向への位置ずれを規制する位置ずれ規制手段が設けられている請求項１に記載のコネクタ。
【請求項３】
前記リテーナには、該リテーナが前記ハウジングの装着孔に装着された際に、前記挿入部内において前記ハウジングランスの両側のうち少なくとも一方側に配置されるリテーナ脚部が設けられている請求項１又は請求項２に記載のコネクタ。
【請求項４】
前記接続端子は、同軸ケーブルに固定された端子金具を有しており、該端子金具に前記係止部は形成されている請求項１〜請求項３のうち何れか一項に記載のコネクタ。
【請求項５】
前記端子金具は円筒状の端子部を有しており、該端子部において前記接続端子の挿入方向後側となる端縁に沿って前記係止部は円弧状をなすように形成され、該円弧状をなす係止部に対して前記ランス側係止部及びリテーナ側係止部が各々係止箇所を違えて係止する構成とされている請求項４に記載のコネクタ。
【発明の詳細な説明】
【技術分野】
【０００１】
本発明は、ハウジング内に挿入された接続端子を係止する機能を有するコネクタに関する。
【背景技術】
【０００２】
従来、この種のコネクタとして、例えば特許文献１に記載のコネクタが提案されている。このコネクタ（以下、「第１従来コネクタ」と示す。）は、絶縁材料からなるハウジングを備えており、該ハウジングには、接続端子が挿入される挿入部が形成されている。そして、その挿入部の内側壁からは、挿入部の内奥に向けて片持ち梁状をなすハウジングランスが接続端子の挿入方向と斜めに交差するように延設されている。
【０００３】
このハウジングランスは、係止部を有する接続端子がハウジングの挿入部内に該挿入部の開口部から挿入される際には、その接続端子に押動されて撓み変形する一方、その接続端子が挿入部内に完全挿入された場合には、その撓み変形が解消されて元の姿勢に弾性復帰するようになっている。すなわち、ハウジングランスは、挿入部内に挿入された接続端子に摺接しながら撓み変形することにより、接続端子が挿入部の内奥側へ挿入されるのを許容するようになっている。そして、ハウジングランスは、その接続端子の係止部が撓み変形したハウジングランスの先端（ランス側係止部）よりも挿入部の内奥側へ移動した直後に弾性復帰することにより、その先端が接続端子の係止部に係止し、その接続端子がハウジングの挿入部内から引き抜かれることを規制するようになっている。
【０００４】
さらに、前記第１従来コネクタは、ハウジングに装着されるリテーナ（ダブルロック材）を備えている。このリテーナには、該リテーナがハウジングに装着された場合に、前述したハウジングランスの撓み変形を規制する方向からハウジングランスに当接する突起（リテーナ当接部）が設けられている。そのため、第１従来コネクタでは、ハウジングの挿入部内に接続端子を完全挿入した後にリテーナを装着した場合、接続端子を挿入部内から強引に引き抜こうとしても、ハウジングランスの先端と接続端子の係止部との係止状態が解消され難くなり、ハウジング内から接続端子が引き抜かれることを抑制できるようになっている。
【０００５】
ところで、前記第１従来コネクタにおいては、ハウジングの挿入部内に完全挿入された接続端子に対し、ハウジングランスのみが接続端子と係止することで、その接続端子がハウジングの挿入部内から引き抜かれることを規制する構成となっている。したがって、接続端子をハウジング内から引き抜く方向へ強力な抜脱力がかかった場合には、その抜脱力に基づく多大な負荷がハウジングランスのみに集中してかかることになる。その結果、このような多大な負荷に起因してハウジングランスが破損し、ハウジング内から接続端子が不用意に引き抜かれてしまう可能性があった。そこで、近時は、前述したような引き抜く方向へ強力な抜脱力がかかった場合にハウジングランスへの負担を低減させるコネクタとして、例えば特許文献２に記載されるようなコネクタ（二重係止コネクタ）が提案されている。
【０００６】
この特許文献２に記載のコネクタ（以下、「第２従来コネクタ」と示す。）では、そのリテーナ（スペーサ）に、該リテーナがハウジングに装着された場合において接続端子の係止部に対してハウジングランスとは別箇所で係止する係止突部が設けられている。すなわち、第２従来コネクタでは、複数の係止部材（ハウジングランス及びリテーナ）が接続端子に対して各々別個独立に係止することになる。そのため、接続端子に対し引き抜き方向への抜脱力がかかった場合に、その抜脱力をハウジングランスとリテーナとで分担して受け止め、ハウジングランスが破損することを抑制し、接続端子がハウジング内から引き抜かれることを規制する構成になっている。
【特許文献１】特開平９−５０８４８号公報（請求項１、図４）
【特許文献２】特開２００１−７６８００号公報（請求項１、図２）
【発明の開示】
【発明が解決しようとする課題】
【０００７】
ところが、前記第２従来コネクタにおけるリテーナには、ハウジングランスが接続端子により押動されて撓み変形することを規制する機能が具備されていない。そのため、接続端子をハウジング内から引き抜く方向へ強力な抜脱力がかかった場合には、ハウジングランスが前記抜脱力に基づき挿入部内で引き抜き方向に移動しようとする接続端子に押動されて撓み変形し、ハウジングランスの先端と接続端子の係止部との係止状態が解消されてしまう可能性があった。
【０００８】
このような状態になった場合には、リテーナの係止突部のみによって接続端子がハウジング内から引き抜かれることを規制することになり、その係止突部には、前記第１従来コネクタのハウジングランスの場合と同様に多大な負荷が集中してかかることになる。その結果、このような負荷に起因してリテーナの係止突部が破損し、ハウジング内から接続端子が引き抜かれてしまう可能性があった。すなわち、第１及び第２従来コネクタにおいては、接続端子をハウジング内から引き抜く方向に強力な抜脱力がかかった場合に、その抜脱力に抗して接続端子がハウジングから引き抜かれることを好適に規制できるとは言い難かった。
【０００９】
本発明は、このような事情に鑑みてなされたものである。その目的は、ハウジングに接続端子が挿入されると共にリテーナが装着された状態で、接続端子をハウジング内から強引に引き抜こうとしても、該ハウジング内から接続端子が引き抜かれることを好適に規制できるコネクタを提供することにある。
【課題を解決するための手段】
【００１０】
上記目標を達成するために、請求項１に記載の発明は、係止部を有する接続端子と、該接続端子が挿入される挿入部を有するハウジングと、該ハウジングに装着されるリテーナとを備え、前記ハウジングには、前記リテーナを装着するための装着孔を前記接続端子の挿入方向と交差する方向において前記挿入部の内外間を連通するように形成すると共に、前記接続端子の係止部に対して係止可能なランス側係止部を有する片持ち梁状のハウジングランスを、前記挿入部内に前記接続端子が挿入される際には該接続端子に押動されて撓み変形する一方、前記接続端子の挿入方向において該接続端子の係止部が前記ランス側係止部の位置に至った際には弾性復帰して該ランス側係止部が前記接続端子の係止部に係止するように設け、前記リテーナには、該リテーナが前記ハウジングの装着孔に装着された際に、前記ハウジングランスに対して該ハウジングランスの前記撓み変形を規制する方向から当接するリテーナ当接部と、前記挿入部内に挿入されて前記ハウジングランスのランス側係止部が係止した状態にある前記接続端子の係止部に対して前記ランス側係止部とは別箇所で係止するリテーナ側係止部とを設けたことを特徴とする。
【００１１】
この請求項１に記載の発明において、ハウジングの挿入部内に挿入された接続端子は、その係止部がハウジングランスのランス側係止部と係止するだけではなくリテーナのリテーナ側係止部とも係止する。しかも、ハウジングランスは、リテーナのリテーナ当接部によって撓み変形が規制されるため、ハウジングランスのランス側係止部と接続端子の係止部との係止状態が解消されることもない。そして、ハウジングランス及びリテーナには、接続端子をハウジング内から引き抜く方向への抜脱力に基づく負荷が分散してかかることになる。したがって、ハウジングにリテーナが装着された状態では、接続端子にハウジング内からの引き抜き方向に強力な抜脱力がかかった場合でも、該ハウジング内から接続端子が引き抜かれることを良好に規制できる。
【００１２】
請求項２に記載の発明は、請求項１に記載のコネクタにおいて、前記ハウジングには、前記挿入部内における前記接続端子の挿入方向と交差する方向への位置ずれを規制する位置ずれ規制手段が設けられていることを特徴とする。
【００１３】
この請求項２に記載の発明では、ハウジングの挿入部内に挿入された接続端子が挿入方向と交差する方向への位置ずれを位置ずれ規制手段により規制されるため、ハウジングの挿入部内において接続端子の係止部に対するランス側係止部及びリテーナ側係止部の係止状態が解消されることはほとんどない。そのため、接続端子がハウジング内から引き抜かれることを、より確実に規制できる。
【００１４】
請求項３に記載の発明は、請求項１又は請求項２に記載のコネクタにおいて、前記リテーナには、該リテーナが前記ハウジングの装着孔に装着された際に、前記挿入部内において前記ハウジングランスの両側のうち少なくとも一方側に配置されるリテーナ脚部が設けられていることを特徴とする。
【００１５】
この請求項３に記載の発明では、リテーナがハウジングに装着された場合、ハウジングランスの両側のうち少なくとも一方側には、リテーナ脚部が配置される。そのため、ハウジングランスが前記接続端子の挿入方向と交差する方向へ位置ずれして接続端子の係止部とランス側係止部との係止状態が解消されることを更に規制でき、接続端子がハウジング内から引き抜かれることを、より一層確実に規制できる。
【００１６】
請求項４に記載の発明は、請求項１〜請求項３のうち何れか一項に記載のコネクタにおいて、前記接続端子は、同軸ケーブルに固定された端子金具を有しており、該端子金具に前記係止部は形成されていることを特徴とする。
【００１７】
この請求項４に記載の発明では、同軸ケーブルを備えた接続端子をハウジングの挿入部内に挿入させる構成とした場合において、接続端子の挿入部内からの不用意な抜けを好適に規制できる。
【００１８】
請求項５に記載の発明は、請求項４に記載のコネクタにおいて、前記端子金具は円筒状の端子部を有しており、該端子部において前記接続端子の挿入方向後側となる端縁に沿って前記係止部は円弧状をなすように形成され、該円弧状をなす係止部に対して前記ランス側係止部及びリテーナ側係止部が各々係止箇所を違えて係止する構成とされていることを特徴とする。
【００１９】
この請求項５に記載の発明では、接続端子における端子金具の端子部の端縁に沿って形成される円弧状の係止部がハウジングランスのランス側係止部及びリテーナのリテーナ側係止部と各々係止箇所を違えて係止する構成とされる。そのため、ハウジングランスのランス側係止部と係止する係止部及びリテーナのリテーナ側係止部と係止する係止部を接続端子の複数箇所に各々形成する場合に比して接続端子の構成の複雑化を抑制できる。
【発明の効果】
【００２０】
本発明によれば、ハウジングにリテーナが装着された状態で、接続端子をハウジング内から引き抜く方向に強力な抜脱力がかかった場合でも、該ハウジング内から接続端子が引き抜かれることを好適に規制できる。
【発明を実施するための最良の形態】
【００２１】
以下、本発明を、同軸ケーブル用のコネクタに具体化した一実施形態を図１〜図５に従って説明する。なお、以下における本明細書中の説明において、「上下方向」、「左右方向」、「前後方向」は図１における上下方向、左右方向、前後方向（同図に矢印で示す）をそれぞれ示すものとする。
【００２２】
図１及び図２に示すように、本実施形態のコネクタ１０は、接続端子１１と、ハウジング１２と、リテーナ１３とを備えている。すなわち、前記コネクタ１０は、接続端子１１がハウジング１２に形成された挿入部１４内に挿入口となる開口部１４ａから挿入された状態においてリテーナ１３がハウジング１２に形成された装着孔１５に装着されることで、接続端子１１、ハウジング１２、及びリテーナ１３が一体化されるようになっている。
【００２３】
前記接続端子１１は、同軸ケーブル１６と該同軸ケーブル１６に固定されるシェル（端子金具）１７とを備えている。前記同軸ケーブル１６は、図３に示すように、芯線（例えば銅線）１８と、該芯線１８を包囲する絶縁層１９と、該絶縁層１９を包囲する網状のシールド層（例えば銅線を編んだもの）２０と、該シールド層２０を絶縁被覆する絶縁被覆層２１とから構成されている。そして、同軸ケーブル１６におけるシェル１７との接続部位となる前端部においては、芯線１８以外の全て（絶縁層１９、シールド層２０及び絶縁被覆層２１）が剥がされた状態となっている。また、同軸ケーブル１６の前端部においてシェル１７の後側に隣接する部位は、絶縁被覆層２１のみが剥がされた状態となっており、シールド層２０が最外層となっている。
【００２４】
そして、前記シェル１７は、その後端側に形成されたかしめ部２２をかしめることにより、同軸ケーブル１６に固定されている。すなわち、シェル１７は、そのかしめ部２２のうち前側部位２２ａが同軸ケーブル１６におけるシールド層２０を最外層とする部位に固定されると共に、後側部位２２ｂが同軸ケーブル１６における絶縁被覆層２１を最外層とする部位に固定されている。
【００２５】
一方、前記シェル１７の前端側部分を構成する端子部２３は、前記芯線１８を中心とする略円筒形状をなしており、その端子部２３と芯線１８との間には絶縁部材２４が間詰めされている。なお、端子部２３の前端部内周側には、リセプタクル（図示略）側の円筒端子（図示略）の先端部を挿入するための環状溝２３ａが形成されている。そして、前記シェル１７においては、前記端子部２３とかしめ部２２との間に、接続端子１１における係止部として機能する切欠き部２５が形成されている。すなわち、前記切欠き部２５は端子部２３において接続端子１１の挿入方向後側となる後端縁により円弧状をなすように形成されている。
【００２６】
前記ハウジング１２は、合成樹脂より略直方体形状をなすように形成され、その内部には前記接続端子１１（具体的には、シェル１７の前端側の端子部２３）が挿入される断面円形状の挿入部１４が前後方向に沿うように形成されている。そして、ハウジングの後壁１２ａには、前記接続端子１１を挿入部１４に対して挿抜自在とする円形状の開口部１４ａが挿入口として形成されている。なお、ハウジング１２の前壁１２ｂには前述したリセプタクル側の円筒端子の挿入口となる円形状の開口部１４ｂが前記挿入部１４に連通するように形成されている。ちなみに、この開口部１４ｂは、前記接続端子１１におけるシェル１７の端子部２３よりも小径に形成されている。したがって、前記後壁１２ａの開口部１４ａから挿入部１４内に挿入された端子部２３が前壁１２ｂの開口部１４ｂから突出することはない。
【００２７】
その一方、前記挿入部１４及び後壁１２ａの開口部１４ａは、図４に示すように、それぞれの内径が前記接続端子１１におけるシェル１７の端子部２３の外径よりも、該端子部２３の挿抜方向への移動を許容するためのクリアランス分だけ、僅かに大径となるように形成されている。すなわち、ハウジング１２は、挿入部１４内に接続端子１１（シェル１７の端子部２３）が挿入された場合に、接続端子１１が挿抜方向となる前後方向と交差する方向（例えば、上下方向や左右方向）へ位置ずれすることを挿入部１４の内面（位置ずれ規制手段）１４Ａによって規制するようになっている。
【００２８】
また、ハウジング１２の上壁１２ｃには、前記リテーナ１３の装着孔１５が、前記挿入部１４内とハウジング１２外とを連通するように、前記接続端子１１の挿入方向と直交（交差）する上下方向に沿って延びるように形成されている。また、前記装着孔１５は、前記接続端子１１が挿入部１４内に挿入された場合に、その挿入された接続端子１１におけるシェル１７の端子部２３の後端縁よりも後側となる位置に設けられている。
【００２９】
図２に示すように、前記ハウジング１２の上壁１２ｃからは、ハウジングランス２７が片持ち梁状をなすように一体形成されている。このハウジングランス２７は、その基端部２７ａが前記挿入部１４内において前記装着孔１５よりも後側に位置すると共に、その先端部２７ｂが前記装着孔１５よりも前側に位置するように形成されている。また、ハウジングランス２７は、その挿入部１４内に臨む面（図２において下面）が先端部２７ｂに向かうほど挿入部１４の中心軸線に近づくように斜面状に形成されており、前記挿入部１４内に接続端子１１が挿入される際には、その接続端子１１の端子部２３の外周面と摺接するようになっている。
【００３０】
すなわち、ハウジングランス２７は、図５に示すように、前記開口部１４ａを介して挿入部１４内に接続端子１１におけるシェル１７の端子部２３が挿入される際には、その端子部２３に押動されることにより、前記基端部２７ａを支点として前記端子部２３の前方への更なる移動を許容するように撓み変形するようになっている。そして、前記接続端子１１の端子部２３が挿入部１４内に完全に挿入された場合、具体的には、接続端子１１の挿入方向においてシェル１７の切欠き部２５がハウジングランス２７の先端面（ランス側係止部）２７ｃの位置に至った場合、ハウジングランス２７は元の姿勢に弾性復帰し、前記撓み変形が解消されるようになっている。そして、撓み変形が解消されたハウジングランス２７は、その先端面２７ｃが接続端子１１におけるシェル１７の切欠き部２５に後方側から係止するようになっている。
【００３１】
前記リテーナ１３は、図１に示すように、前記装着孔１５に嵌合可能なリテーナ本体２８を備えており、該リテーナ本体２８の左右両端部からは、左右一対のリテーナ脚部２９が平行に延設されている。前記一対のリテーナ脚部２９は、リテーナ本体２８から約９０度に屈曲した状態でそれぞれ形成されており、これら両リテーナ脚部２９とリテーナ本体２８とにより、本実施形態のリテーナ１３は断面逆Ｕ字状をなすように形成されている。そして、リテーナ１３は、ハウジング１２の上方から前記装着孔１５にリテーナ本体２８が嵌合された場合に、前記リテーナ脚部２９が前記挿入部１４内に上下方向に沿って垂下された位置姿勢となるように形成されている。
【００３２】
前記各リテーナ脚部２９の外側部位２９ａには、図４に示すように、凸部３０がそれぞれ設けられている。そして、各凸部３０は、リテーナ１３が前記装着孔１５に装着された場合に、該装着孔１５の内側壁に設けられた凹部２６ａと係合し、リテーナ１３を装着孔１５内にて移動不能に係止するようになっている。この際に、前記リテーナ本体２８は、その下面２８ａが前記ハウジングランス２７の上面２７ｄに上方から当接するようになっている。すなわち、本実施形態では、前記リテーナ本体２８の下面２８ａが、リテーナ１３が装着孔１５に装着された際に、前記ハウジングランス２７に対して該ハウジングランス２７の撓み変形を規制する方向から当接するリテーナ当接部として機能するようになっている。
【００３３】
また、前記各リテーナ脚部２９は、リテーナ１３（リテーナ本体２８）が前記装着孔１５に装着された場合に、前記挿入部１４内において前記ハウジングランス２７の左右両側に配置されるようになっている。すなわち、ハウジングランス２７と各リテーナ脚部２９との間には、リテーナ１３の着脱に伴い上下方向への移動を許容するための隙間しか形成されないようになっている。そして、各リテーナ脚部２９は、前記挿入部１４内に前記接続端子１１の端子部２３が完全挿入された状態において、リテーナ１３（リテーナ本体２８）が前記装着孔１５に装着された場合には、各リテーナ脚部２９の下端側部位２９ｂが前記接続端子１１のシェル１７の切欠き部２５に係止するようになっている。
【００３４】
すなわち、図４に示すように、前記リテーナ１３は、リテーナ本体２８が前記装着孔１５に嵌合された場合に、各リテーナ脚部２９の前面（リテーナ側係止部）２９ｃがハウジングランス２７の先端面（ランス側係止部）２７ｃと前後方向において略同一位置となるように形成されている。そして、各リテーナ脚部２９の前面２９ｃは、前記接続端子１１の円弧状をなす切欠き部２５（すなわち、端子部２３の後端縁）に対して、該切欠き部２５におけるハウジングランス２７の先端面２７ｃの係合箇所から周方向に僅かに離間した左右二カ所の係合箇所で係止する配置構成とされている。
【００３５】
そこで次に、本実施形態のコネクタ１０の作用について、ハウジング１２の挿入部１４内に挿入された状態にある接続端子１１に対して挿入部１４からの引き抜き方向への抜脱力がかかった場合の作用に着目して以下説明する。
【００３６】
さて、接続端子１１がハウジング１２の挿入部１４内に完全挿入されると共に、リテーナ１３がハウジング１２の装着孔１５に装着されると、接続端子１１の切欠き部２５に対してハウジングランス２７の先端面２７ｃ及びリテーナ脚部２９の前面２９ｃが係止した状態となる。そして、この挿入状態において、接続端子１１は、挿入部１４内を前後方向に移動することが規制される。しかも、接続端子１１のシェル１７とハウジング１２における挿入部１４の内面１４Ａとの間には隙間がほとんどないため、接続端子１１は挿入部１４内において前後方向と交差する方向に移動することも規制される。
【００３７】
こうした挿入部１４内に完全挿入された状態にある接続端子１１に対して、該接続端子１１を挿入部１４内から引き抜く方向に抜脱力がかかった場合には、その抜脱力に基づく負荷がハウジングランス２７と一対のリテーナ脚部２９とに分散してかかる。すなわち、ハウジングランス２７の先端面２７ｃのみが接続端子１１の切欠き部２５に係止している場合に比して、ハウジングランス２７にかかる負荷が低減する。
【００３８】
しかも、ハウジング１２の装着孔１５にリテーナ１３のリテーナ本体２８が嵌合されることにより、該リテーナ本体２８の下面２８ａが、ハウジングランス２７の上面２７ｄに上方から当接してハウジングランス２７が基端部２７ａを支点として撓み変形することを規制する。そのため、たとえ強力な抜脱力でもって接続端子１１を挿入部１４内から強引に引き抜こうとしても、ハウジングランス２７が撓むことはなく、該ハウジングランス２７の先端面２７ｃと接続端子１１の切欠き部２５との係止状態が解消されることはない。
【００３９】
また、ハウジングランス２７は、一対のリテーナ脚部２９によって左右方向への移動が規制されるため、その先端面２７ｃが接続端子１１の切欠き部２５に対する係止状態を解消されることがより一層規制される。そのため、ハウジング１２（挿入部１４）内から強力な抜脱力でもって接続端子１１を強引に引き抜こうとしても、該接続端子１１が引き抜かれるようなことはない。
【００４０】
したがって、本実施形態では、以下に示す効果を得ることができる。
（１）ハウジング１２の挿入部１４内に挿入された接続端子１１は、その切欠き部（係止部）２５がハウジングランス２７の先端面（ランス側係止部）２７ｃと係止するだけではなく各リテーナ脚部２９の前面（リテーナ側係止部）２９ｃとも係止する。そして、その係止状態において、ハウジングランス２７は、その上面２７ｄがリテーナ１３におけるリテーナ本体２８の下面（リテーナ当接部）２８ａの当接によって撓み変形を規制される。そのため、接続端子１１に対してハウジング１２から引き抜き方向への強大な抜脱力がかかったとしても、その抜脱力に基づく負荷はハウジングランス２７及びリテーナ脚部２９に分散することになり、また、撓み変形を規制されたハウジングランス２７は、その先端面２７ｃが接続端子１１の切欠き部２５との係止状態を解消されることもない。したがって、ハウジング１２にリテーナ１３が装着された状態で、接続端子１１にハウジング１２内からの引き抜き方向に強大な抜脱力がかかった場合でも、ハウジング１２内から接続端子１１が引き抜かれることを好適に規制できる。
【００４１】
（２）ハウジング１２の挿入部１４内に挿入された接続端子１１は、その挿入方向（前後方向）と交差する方向への移動が挿入部１４の内面（位置ずれ規制手段）１４Ａによって抑制される。すなわち、ハウジング１２内において、前記接続端子１１の切欠き部（係合部）２５と、ハウジングランス２７の先端面２７ｃ及びリテーナ脚部２９の前面２９ｃとの係止状態が解消されることを良好に回避できる。そのため、この点において、接続端子１１がハウジング１２内から引き抜かれることを、より確実に規制できる。
【００４２】
（３）リテーナ１３がハウジング１２に装着された場合、ハウジングランス２７は、一対のリテーナ脚部２９によって挟まれた状態となる。そのため、ハウジングランス２７が前記接続端子１１の挿入方向（前後方向）と交差する左右方向へ位置ずれして接続端子１１の切欠き部２５とハウジングランス２７の先端面２７ｃとの係止状態が解消されることを更に規制でき、接続端子１１がハウジング１２の挿入部１４内から不用意に引き抜かれることを更に好適に規制できる。
【００４３】
（４）同軸ケーブル１６に接続端子１１を設ける場合は、通常、ハウジング１２の挿入部１４内に挿入されるシェル（端子金具）１７を備えるが、このシェル１７に係止部として機能する切欠き部２５を形成するようにすれば、接続端子１１が挿入部１４内から引き抜かれることを規制する抜け止め構造を簡単に形成できる。
【００４４】
（５）接続端子１１におけるシェル（端子金具）１７の円筒状をなす端子部２３の後端縁により円弧状をなす切欠き部（係止部）２５が形成され、その切欠き部２５に対してハウジングランス２７の先端面（ランス側係止部）２７ｃ及びリテーナ脚部２９の前面（リテーナ側係止部）２９ｃが互いに係合箇所を違えて係止する構成となっている。そのため、接続端子１１側にハウジングランス２７の先端面（ランス側係止部）２７ｃ及びリテーナ脚部２９の前面（リテーナ側係止部）２９ｃが各々係止する係止部を別個独立に複数箇所形成する場合に比して、接続端子１１の構成の複雑化を抑制できる。
【００４５】
（６）リテーナ１３の各リテーナ脚部２９の前面（リテーナ側係止部）２９ｃは円弧状をなす接続端子１１の切欠き部（係止部）２５に対する係止状態において、切欠き部２５の周方向へ広い係合面積をもって係止することになる（図４参照）。そのため、このように広い係合面積でもって係止することにより、リテーナ１３は各リテーナ脚部２９による接続端子１１の切欠き部２５に対する係止機能を良好に発揮することができる。
【００４６】
（７）リテーナ１３は、接続端子１１の挿入方向（前後方向）と交差する方向（上方向）からハウジング１２に対して装着される。ここで、リテーナ１３を前後方向からハウジング１２に装着する構成にした場合には、該ハウジング１２は、リテーナ１３を所定の装着位置に案内するための構成が必要となり、大型化してしまう。したがって、本実施形態のコネクタ１０は、リテーナ１３を前後方向からハウジング１２に装着する構成のコネクタに比して、ハウジング１２の前後方向における長さを短くでき、コネクタの小型化要請に良好に対応することができる。
【００４７】
なお、前記実施形態は以下のような別の実施形態（別例）に変更してもよい。
・前記実施形態において、リテーナ１３は、該リテーナ１３をハウジング１２に装着した場合に、それぞれのリテーナ脚部２９の前面２９ｃとハウジングランス２７の先端面２７ｃとが前後方向において同一位置とならない配置構成に形成してもよい。但し、この場合、接続端子１１には、ハウジングランス２７の先端面２７ｃ用の係止部と、リテーナ脚部２９の前面２９ｃ用の係止部とを個別に設けることが望ましい。
【００４８】
・前記実施形態において、リテーナ１３のリテーナ脚部２９は、一対（２つ）でなく、１つのリテーナ脚部２９のみが設けられた構成であってもよい。この場合、リテーナ１３がハウジング１２に装着された際に、ハウジングランス２７の両側のうち一方側のみにリテーナ脚部２９が配置されることになる。
【００４９】
・前記実施形態において、接続端子１１には、シェル１７を切り欠くことによって係止部（切欠き部２５）を設けるのではなく、突状をなす係止部を突設する構成としてもよい。但し、この場合、ハウジング１２の挿入部１４の内面１４Ａには、接続端子１１の突状をなす係止部に対応するように溝部を前後方向に形成することが望ましい。
【００５０】
・前記実施形態において、接続端子１１は、同軸ケーブル１６を備えたものではなく、任意の電線（例えば単芯ケーブル）を備えたものであってもよい。すなわち、単芯ケーブル用のコネクタに具体化してもよい。
【図面の簡単な説明】
【００５１】
【図１】本実施形態におけるコネクタの分解斜視図。
【図２】本実施形態におけるコネクタの断面図。
【図３】本実施形態における接続端子の断面図。
【図４】図２における４−４線矢視断面図。
【図５】ハウジングの挿入部へ接続端子が挿入される際の状態を示す断面図。
【符号の説明】
【００５２】
１０…コネクタ、１１…接続端子、１２…ハウジング、１３…リテーナ、１４…挿入部、１４Ａ…内面（位置ずれ規制手段）、１５…装着孔、１６…同軸ケーブル、１７…シェル（端子金具）、２３…端子部、２５…切欠き部（係止部）、２７…ハウジングランス、２７ｃ…先端面（ランス側係止部）、２８ａ…リテーナ本体の下面（リテーナ当接部）、２９…リテーナ脚部、２９ｃ…前面（リテーナ側係止部）。
【図１】
2006339021.tif 000003
【図２】
2006339021.tif 000004
【図３】
2006339021.tif 000005
【図４】
2006339021.tif 000006
【図５】
2006339021.tif 000007